(57)【要約】【課題】ノイズの除去能力及び外来ノイズ耐性が高いノイズフィルタを提供する。【解決手段】ノイズフィルタ１０は、リングコア１１と、リングコア１１に巻回された複数の電力電線Ｐ，Ｎとを備えている。複数の電力電線Ｐ，Ｎが相互に撚り合わされて撚り電力電線１２が形成されており、この撚り電力電線１２がリングコア１１の周方向に沿って整列した状態で巻回されている。【選択図】図１
2017126646.tif 000002
【特許請求の範囲】
【請求項１】
流れる電流が相互に等しく、かつ、相互に電位の異なる複数の電力電線からなる電力伝送線路上に設けられたノイズフィルタであって、
リングコアを備えており、
前記複数の電力電線が相互に撚り合わされて撚り電力電線が形成され、かつ、該撚り電力電線が前記リングコアにその周方向に沿って整列させられた状態で巻回されている
ことを特徴とするノイズフィルタ。
【請求項２】
請求項１記載のノイズフィルタにおいて、
前記撚り電力電線は、前記リングコアの内周側において、周方向に隣り合う該撚り電力電線の相互間が密着するように巻回されている
ことを特徴とするノイズフィルタ。
【請求項３】
請求項１または２に記載のノイズフィルタにおいて、
前記撚り電力電線は、前記リングコアの半径方向に複数段重なり、かつ、内側の段の隣り合う２つの撚り電力電線間の中間位置に外側の段の撚り電線が配置されるように巻回されている
ことを特徴とするノイズフィルタ。
【請求項４】
太陽光発電ユニットを系統に連系するパワーコンディショナーであって、
太陽光発電ユニットの発電電力をＤＣ−ＤＣ変換するＤＣ−ＤＣコンバータと、
前記ＤＣ−ＤＣコンバータの直流出力電力をＤＣ−ＡＣ変換するインバータとを備え、
前記太陽光発電ユニットと前記ＤＣ−ＤＣコンバータとの間、前記ＤＣ−ＤＣコンバータと前記インバータとの間または前記インバータと前記系統との間の少なくともいずれか一箇所に請求項１から３のうちのいずれか１項に記載のノイズフィルタが配設されている
ことを特徴とするパワーコンディショナー。
【発明の詳細な説明】
【技術分野】
【０００１】
本発明は、電力伝送線路上に設けられたノイズフィルタ及びこれを備えたパワーコンディショナーに関するものである。
【背景技術】
【０００２】
一般的に、太陽光発電ユニットを系統に連系するパワーコンディショナーには、電力伝送線路上にノイズ対策用のノイズフィルタが設けられている。ノイズフィルタの一例として、電力伝送線路を構成する複数の電力電線をリングコアに数回巻回したリング状コイルが用いられている。ここで、電力伝送線路を構成する複数の電力電線（例えば、２相の場合は２本、３相の場合は３本）には相互に等しい電流が流れる。そのため、ノイズの除去能力を十分に発揮させるためには、複数の電力電線がバランスよく巻回されている必要がある。一般的には、リングコアに巻線をバイファイラ巻きして構成されたものが知られている（例えば、特許文献１）。
【０００３】
ここで、電力伝送線路の電力電線には、必要な電流容量に対応した太い線径の導線やハーネス線が用いられるのが一般的である。ある程度以上線径が太くなるとともに、巻回数が増加すると、複数の電力電線をリングコアにバランスよく巻回する作業が困難になるという問題がある。
【０００４】
この問題に対し、特許文献１では、中央穴の内壁に等間隔の縦溝を設けたドーナツ状台座に接続端子を設け、この中央孔内にトロイダルコイルを保持するとともに、巻線を上記縦溝内に保持することが提案されている。
【０００５】
また、特許文献２には、トロイダルコアを収納する樹脂ケースを設け、この樹脂ケースに深さが導線の径と同程度の溝を形成する技術が開示されている。
【先行技術文献】
【特許文献】
【０００６】
【特許文献１】実開昭６３−１７４４１５号公報
【特許文献２】特開２０００−１５０２４６号公報
【発明の概要】
【発明が解決しようとする課題】
【０００７】
ところで、近年、蓄電池付きの高機能な太陽光発電システムが普及しており、このものでは、高機能である一方で、従来の太陽光発電ユニットと比較してパワーコンディショナー内でノイズが発生しやすくなるという課題を有する。したがって、従来と比較して、ノイズフィルタのノイズの除去能力をより一層高める必要が生じている。
【０００８】
ここで、リング状コイルをノイズフィルタとして用いる場合において、ノイズの除去能力を高めるためには、コイルのインダクタンス値を高める必要がある。換言すると、リングコアに対して電力電線の巻回数を増やす必要がある。単純に電力電線の巻回数を増やしたり、複数段に重ねて巻回したりしようとすると、複数の電力電線間のバランスが崩れやすく、新たなノイズ発生の要因となる場合があるため対策が必要である。
【０００９】
これに対し、特許文献１のように、縦溝を設けたドーナツ状台座を設けると、デットスペースが生じるため、増加させる巻回数に限りがあり、巻回数が十分確保できない場合がある。
【００１０】
特許文献２の技術では、溝が形成された樹脂ケースを用いるので、複数の電力電線をリングコアにバランスよく巻回することができる。しかしながら、複数段に重ねて電力電線を巻回する場合には、２段目以降は案内溝がないため、複数の電力電線間のバランスを十分に保つことができない場合がある。このような電力電線間のバランスの乱れは、前述のとおり新たなノイズ発生の原因となる場合がある。また、特許文献１，２ともに電力電線を誘導させるための部材が別に必要となるという問題がある。
【００１１】
さらに、バイファイラ巻きをすると、電力伝送線路を構成する複数の電力電線が平行な状態でコアに巻回されるため、該複数の電線間を通過する磁束（外来ノイズや製品内で発生したノイズ）による誘導ノイズが発生するという問題がある。
【００１２】
本発明は、上記問題に鑑みてなされたものであり、ノイズの除去能力及び外来ノイズ耐性が高いノイズフィルタを提供することを目的とする。
【課題を解決するための手段】
【００１３】
本発明に係るノイズフィルタでは、電力伝送線路を構成する複数の電力電線が相互に撚り合わされて撚り電力電線を形成し、該撚り電力電線がリングコアにその周方向に沿って整列させられた状態で巻回されるようにした。
【００１４】
この態様によると、撚り電力電線がリングコアの周方向に沿って整列するように巻回されている。このように電力電線が撚られていることにより、電力電線間のバランスを保ったまま電力電線をリングコアに巻回することができる。
【００１５】
すなわち、本発明の第１態様では、流れる電流が相互に等しく、かつ、相互に電位が異なる複数の電力電線からなる電力伝送線路上に設けられたノイズフィルタであって、リングコアを備えており、前記複数の電力電線が相互に撚り合わされて撚り電力電線が形成され、かつ、該撚り電力電線が前記リングコアにその周方向に沿って整列させられた状態で巻回されていることを特徴とする。
【００１６】
この態様によると、前述のとおり、電力電線が撚られていることにより、電力電線間のバランスを保ったまま電力電線をリングコアに巻回することができる。これにより、例えば、ノイズの除去能力を高めるために、巻回数を増加させた場合においても、新たなノイズ発生を抑制することができる。
【００１７】
また、本態様によると、複数の電力電線を同じ巻回数でバイファイラ巻きする場合と比較して、巻回後の配線全体の周方向長さを短くすることができる。これにより、従来と比較して、同じ大きさのリングコアを用いた場合の巻回数を増加させることができる。
【００１８】
以上のように、本態様に係るノイズフィルタは、従来と比較して、新たなノイズ発生を抑制しつつ、インダクタンス値を高めることが可能であり、結果として、ノイズ除去能力を高めることができる。
【００１９】
また、撚り電力電線を形成することで、撚り電力電線の隣接する電流ループ間で発生磁界が相互に打ち消されるので、外部に対してノイズを出しにくくなるとともに、外来ノイズの影響も受けにくいというメリットがある。加えて、撚り電力電線を巻回するので、複数の電力電線間で巻回数が異なる恐れがなく、バイファイラ巻きと比較して巻回しやすくなり、製造工程における作業効率が改善される。
【００２０】
第１態様記載のノイズフィルタにおいて、前記撚り電力電線は、前記リングコアの内周側において、周方向に隣り合う該撚り電力電線の相互間が密着するように巻回されていてもよい。
【００２１】
この態様によると、周方向に隣接する撚り電力電線の相互間が密着しているので、撚り電力電線の巻回数を増加させることができるようになる。これにより、本態様では、ノイズフィルタのインダクタンスを高めることが可能になり、結果として、ノイズフィルタのノイズ除去能力を高めることができる。
【００２２】
上記態様のノイズフィルタにおいて、前記撚り電力電線は、前記リングコアの半径方向に複数段重なり、かつ、内側の段の隣り合う２つの撚り電力電線間の中間位置に外側の段の撚り電線が配置されるように巻回されていてもよい。
【００２３】
このように、撚り電力電線がリングコアの半径方向に複数段重なるようにすることで、インダクタンス値を高めることが可能であり、結果として、ノイズ除去能力を高めることができる。また、密接する電力電線間の電位差を最小限にとどめることができ、電力電線間の浮遊容量に起因するノイズの伝導を防ぐことができる。
【００２４】
本発明の第２態様では、太陽光発電ユニットを系統連系するパワーコンディショナーであって、太陽光発電ユニットの発電電力をＤＣ−ＤＣ変換するＤＣ−ＤＣコンバータと、前記ＤＣ−ＤＣコンバータの直流出力電力をＤＣ／ＡＣ変換するインバータとを備え、前記太陽光発電ユニットと前記ＤＣ−ＤＣコンバータとの間、前記ＤＣ−ＤＣコンバータと前記インバータとの間または前記インバータと前記系統との間の少なくともいずれか一箇所に上記態様のノイズフィルタが配設されていることを特徴とする。
【００２５】
本態様に係るパワーコンディショナーは、ノイズ除去能力を高めたノイズフィルタが配設されているので、従来と比較してノイズ耐性が高いものを実現することができる。
【発明の効果】
【００２６】
本発明に係るノイズフィルタは、新たなノイズ発生を抑制しつつ、インダクタンス値を高めることが可能である。したがって、ノイズの除去能力が高く、かつ、外来ノイズ耐性が高いという効果が得られる。
【図面の簡単な説明】
【００２７】
【図１】実施形態に係るノイズフィルタの平面図である。
【図２】実施形態に係るノイズフィルタを斜め上方から見た拡大斜視図である。
【図３】リングコアの内周側における撚り電力電線の配列例を示した図である。
【図４Ａ】誘導ノイズ、外来ノイズの影響の違いについて説明するための図である。
【図４Ｂ】誘導ノイズ、外来ノイズの影響の違いについて説明するための図である。
【図５】実施形態に係るパワーコンディショナーを示す概略図である。
【図６】リングコアの内周側における撚り電力電線の他の配列例を示した図である。
【発明を実施するための形態】
【００２８】
以下、本発明の実施形態を図面に基づいて詳細に説明する。以下の好ましい実施形態の説明は、本質的に例示に過ぎず、本発明、その適用範囲あるいはその用途を制限することを意図するものではない。
【００２９】
まず、図１及び図２を参照して実施形態に係るノイズフィルタの構成について詳細に説明する。図１には、単相２線式の電力伝送線路上に配設されるノイズフィルタ１０を例示している。図１に示すように、ノイズフィルタ１０は、フェライト等の磁性体で形成されたリングコア１１と、リングコア１１に巻回された撚り電力電線１２とを備えている。
【００３０】
リングコア１１は、例えば、断面が略矩形状の円形リング状コアである。外径寸法は、撚り電力電線１２の巻回数に応じて適宜選択することができるが、例えば、数［ｃｍ］〜十数［ｃｍ］が好ましい。
【００３１】
撚り電力電線１２は、２本の電力電線Ｐ，Ｎが相互に撚り合わされて集合一体化されたものである。撚り電力電線１２は、リングコア１１の周方向全体にわたって、周方向に沿って順に整列するように巻回されている。そのとき、図２に示すように、撚り電力電線１２は、リングコア１１の内周側において、周方向に隣り合う撚り電力電線１２の相互間が密着し、リングコア１１の外周側で周方向に隣り合う撚り電力電線１２の相互間が離隔するように巻回されている。撚り電力電線１２の撚り数は、電力電線Ｐ，Ｎの太さによって異なるため、特に限定されないが、後述する誘導ノイズ、外来ノイズの影響を低減するという観点に基づいて、撚り数を決定するのが好ましい。
【００３２】
電力電線Ｐ，Ｎの線種は、特に限定されないが、例えば、ハーネス線やエナメル被覆された銅の単線を適用することができる。電力電線Ｐ，Ｎには、例えば、数十［Ａ］の電流が流される。このため、電力電線Ｐ，Ｎは、上記電流に対応した線径（導電部分）が必要である。また、電力電線Ｐ，Ｎ間の短絡防止のために被覆も十分に行う必要があることから、線径（導電部分＋絶縁部分）は、比較的太めになるのが一般的である。図１において、Ｐ１，Ｐ２は、正極側の電力電線Ｐの両端に設けられた端子を示しており、Ｎ１，Ｎ２は、負極側の電力電線Ｎの両端に設けられた端子を示している。
【００３３】
図３上段は、図２のＡ−Ａの範囲の撚り電力電線１２の断面を模式的に示した図であり、リングコア１１の内周側における撚り電力電線１２の配列例を示している。また、図３下段は、比較例として、図３上段の電力電線Ｐ，Ｎと同じ径を有する２本の電力電線をバイファイラ巻きした場合の配列例を示している。
【００３４】
本実施形態では、撚り電力電線１２を巻回させるため、巻回される過程を電力電線Ｐ，Ｎの断面形状の変化としてとらえた場合、２本の電力電線Ｐ，Ｎが周方向に沿って並んだ状態から、一体的に周方向に沿って回転するように変化する。したがって、巻回された電力電線について、リングコア１１の厚さ方向中央を通る平面に沿った切断断面を見た場合、図３上段に示すような種々の断面パターンがランダムに発生しながら周方向に整列されることになる。
【００３５】
一方で、２本の電力電線Ｐ，Ｎをバイファイラ巻きすると、図３下段に示すように、２本の電力電線Ｐ，Ｎが周方向に沿って並んだ状態で整列されることになる。すわなち、バイファイラ巻きにおいて、リングコアに１段で電線を巻回する場合の電力電線Ｐ，Ｎの最大ターン数は、「リングコアの内径÷電力電線Ｐ，Ｎの外径÷２」となる。
【００３６】
これに対して、本実施形態では、種々の断面パターンがランダムに発生しながら周方向に整列されているため、バイファイラ巻きと比較して、２０％程度多くの電力電線Ｐ，Ｎを巻回できるようになる。これにより、従来と比較して、同じ大きさのリングコア１１を用いた場合の電力電線Ｐ，Ｎの巻回数を増加させることができる。
【００３７】
次に、図４を用いて、２本の電力電線Ｐ，Ｎをバイファイラ巻きした場合と、本実施形態に係るノイズフィルタ１０とにおいて、誘導ノイズ、外来ノイズの影響の違いについて説明する。
【００３８】
まず、２本の電力電線Ｐ，Ｎをバイファイラ巻きした場合、図４Ａに示すように、リングコア１１の表面や側面において、２本の電力電線Ｐ，Ｎが平行に並んでいる。この２本の電力電線Ｐ，Ｎには相互に逆方向の電流Ｉが流れるため、図４Ａの紙面手前側に向かう磁束φが発生する。この変化する磁束φの誘導によって、２本の電力電線Ｐ，Ｎ間には、「ｅ＝ｄφ／ｄｔ」の誘導ノイズが生じる。この誘導ノイズｅは、電力電線Ｐ，Ｎの巻回数の増加に伴って増加するため、巻回数が多くなるほどその影響が大きくなる。
【００３９】
これに対し、本実施形態では、図４Ｂに示すように、リングコア１１の表面や側面において、２本の電力電線Ｐ，Ｎが相互にねじれている。したがって、２本の電力電線Ｐ，Ｎに相互に逆方向の電流Ｉが流れた場合においても、磁束φの方向が一義的ではないため、磁束φが相互に打ち消され、誘導ノイズが低減される。
【００４０】
また、電力電線Ｐ，Ｎをバイファイラ巻きした場合には、外来ノイズ（磁気ノイズ）の磁束が鎖交する面積が広くなるため、外来ノイズの影響を受けやすい。これに対して、本実施形態では、バイファイラ巻きした場合と比較して、２本の電力電線Ｐ，Ｎ間において、磁束が鎖交可能な領域が小さくなるため、外来ノイズの影響を受けにくくなるメリットがある。ここで、外来ノイズとは、例えば、ノイズフィルタがパワーコンディショナーに設置された場合、パワーコンディショナー外部から飛来するノイズと、パワーコンディショナー自体から発生するノイズとの両方を含む概念である。
【００４１】
＜適用例＞
次に、図５を用いて実施形態に係るノイズフィルタ１０の適用例について詳細に説明する。図５に示すように、実施形態に係るノイズフィルタ１０は、例えば、太陽光発電ユニット２０を系統４０に連系するパワーコンディショナー３０に適用することができる。図５では、太陽光発電ユニット２０が３個の太陽電池を備えている例について説明する。なお、太陽光発電ユニットが備える太陽電池の数はいくつでもよく、また、パワーコンディショナーが蓄電池ユニット（図示しない）を備えていてもよい。
【００４２】
パワーコンディショナー３０は、各太陽電池に対応した入力端子台ユニット３１及びＤＣ−ＤＣコンバータモジュール３２（以下、単にＤＣ−ＤＣコンバータ３２ともいう）とを備えている。本実施形態では、太陽電池２１が３個であるため、３個の入力端子台ユニット３１，３１，…及び３個のＤＣ−ＤＣコンバータ３２，３２，…を備えている。
【００４３】
パワーコンディショナー３０は、さらに、３個のＤＣ−ＤＣコンバータ３２，３２，…の直流出力を受けて、ＤＣ−ＡＣ変換するインバータ回路３３（以下、単にインバータ３３ともいう）と、ＡＣリアクトルユニット３４（以下、単にＡＣリアクトル３４ともいう）と、単相から３相への電力変換を行う出力フィルター回路３５と、出力端子３６を備えている。パワーコンディショナー３０は、出力端子３６を介して系統４０に連系されている。
【００４４】
本実施形態に係るノイズフィルタ１０は、パワーコンディショナー３０内の直流電力電線又は低周波（例えば、５０〜６０Ｈｚ）の電力電線Ｐ，Ｎに接続され、これらの電力電線Ｐ，Ｎに重畳するノイズを低減する。ノイズフィルタ１０の設置場所は特に限定されないが、ノイズ源の近く、又は、雑音端子電圧等を測定する測定地点近くに設置するのが好ましい。本実施形態では、各ＤＣ−ＤＣコンバータ３２がそれぞれに接続された各入力端子台ユニット３１の前段部分（上流側）における直流電力電線上、ＤＣ−ＤＣコンバータ３２とインバータ３３との間におけるインバータ３３寄りの直流電力電線上、インバータ３３とＡＣリアクトル３４との間の交流電力電線上、及びＡＣリアクトル３４と出力フィルター回路３５との間の交流電力電線上に設けた例を示している。
【００４５】
ノイズフィルタ１０に巻回する電力配線Ｐ，Ｎの巻線数は、例えば、ＪＥＴ認証規格の規定に基づく雑音端子電圧の測定結果から決定する。具体的には、ＪＥＴ認証規格規定の測定条件における雑音端子電圧の測定値が規定のノイズ以下になる巻回数を実測に基づいて選定する。
【００４６】
なお、図５では、ノイズフィルタ１０が、太陽電池向けのパワーコンディショナー３０に配設された例を示したが、これに限定されない。例えば、他形式の発電機向けパワーコンディショナーや、発電機以外の他用途向けのパワーコンディショナー等に適用してもよい。また、電力伝送線路上に配設される機器であれば、パワーコンディショナーに限定されず、他の電気機器、電源機器であってもよい。また、電力伝送線路を機器内に有するような電気機器、電源機器内に本実施形態に係るノイズフィルタを配設してもよい。
【００４７】
以上のように、本実施形態によると、本実施形態に係るノイズフィルタ１０は、撚り電力電線１２をリングコア１１に巻回するようにしているため、種々の断面パターンがランダムに発生しながら周方向に整列される。これにより、２本の電力電線Ｐ，Ｎが周方向に並んでいるバイファイラ巻きと比較して、同じ巻回数を得るための周方向長さを短くすることができ、同じ大きさのリングコア１１を用いた場合の巻回数を増加させることができる。これにより、ノイズフィルタ１０のインダクタンス値を高めることが可能であり、結果として、ノイズフィルタ１０のノイズ除去能力を高めることができる。
【００４８】
さらに、リングコア１１の内周側において、周方向に隣接する撚り電力電線１２（各電力電線Ｐ，Ｎ）が相互間で密着しているので、撚り電力電線１２の巻回数をさらに増加させることができるようになる。これにより、ノイズフィルタ１０のインダクタンス値をより一層高めることが可能であり、結果として、ノイズフィルタ１０のノイズ除去能力をさらに高めることができる。
【００４９】
また、電力電線Ｐ，Ｎの線径が比較的太めであるため、２本の電力電線Ｐ，Ｎをそれぞれに巻回する場合には、電力電線Ｐ，Ｎ間のバランスが崩れたり、電力電線Ｐ，Ｎ相互間で巻回数を間違えたり（巻回数が異なったり）する場合がある。これに対し、本実施形態では、電力電線Ｐ，Ｎが撚られた状態でリングコア１１に巻回されているため、巻回数を増加させた場合においても、電力電線Ｐ，Ｎ間のバランスが確実に保たれる。これにより、新たなノイズ発生を抑制することができる。また、２つの電力電線をそれぞれに巻回する場合や、バイファイラ巻きする場合と比較して巻回しやすいため、製造工程における作業効率が改善される。
【００５０】
なお、上記の実施形態では、撚り電力電線１２がリングコア１１全体に対してリングコア１１の径方向に１段で、かつ、周方向に１周回巻回されている例について説明したが、これに限定されない。例えば、ノイズフィルタの特性上の理由等により、撚り電線の巻回数が１段、１周回で足りない場合は、段数を２段、３段、…と増加させてもよい。また、周回の途中まで巻回するようにしてもよい。
【００５１】
＜２段以上の巻回例＞
以下、図６を用いて、３段巻回する場合における撚り電線の巻回例を詳細に説明する。図６では、図３と同様に、リングコア１１の内周側における撚り電力電線１２の配列例を示している。説明の便宜上、２本の電力電線Ｐ，Ｎの図示は割愛するとともに、撚り電力電線１２の形状が円形状であるものとして説明する。また、撚り電力電線１２内の［］付きの数字は、巻回する順番を示している。
【００５２】
図６に示すように、撚り電力電線１２は、１段目において、周方向に２つ巻回された後（図６［１］，［２］参照）、上記図６［１］，［２］間の２段目に巻回される（図６［３］参照）。その後、１段目に戻って、図６［１］，［２］の隣に密着させて周方向に２つ巻回された後（図６［４］，［５］参照）、上記図６［４］，［５］間の２段目に巻回される（図６［６］参照）。最後に、上記図６［３］，［６］間の３段目に巻回される（図６［７］参照）。上記のような規則に基づいて、周方向全体にわたって３段巻回すればよい。
【００５３】
以上のように、リングコア１１に近い内側の段で隣り合う２つの撚り電力電線１２，１２間の中間位置の外側に、リングコア１１から遠い外側の段の撚り電力電線１２が配置されように巻回していくことで、１段目を全て巻回した後に２段目を巻回する場合と比較して、各段を構成する撚り電力電線１２，１２，…間の電位差を小さくすることができる。ここで、密接する電力電線間の電位差が大きくなると電力電線間の浮遊容量によるノイズの伝導が発生するため好ましくない。したがって、図６のような配列にすることにより、密接する電力電線１２，１２，…間の電位差を最小限にとどめることができ、電力電線１２，１２，…間の浮遊容量に起因するノイズの伝導を防ぐことができる。
【００５４】
なお、図６では、電力電線が３段巻回される例を示したが、巻回段数は、２段であってもよく、４段以上であってもよい。ここで、段数が増加する場合においても、内側の段で隣り合う２つの撚り電力電線１２，１２間の中間位置の外側に外側の段の撚り電力電線１２が配置されように巻回していけばよい。これにより、密接する線間の電位差を最小限にとどめることができ、図６と同様の効果を得ることができる。
【００５５】
また、上記の実施形態において、撚り巻線は、リングコアの内周側において、周方向に隣り合う撚り電力電線１２，１２，…の相互間が密着するものとして説明したが、これに限定されない。例えば、周方向内側において、隣り合う撚り電力電線１２，１２，…間に意識的に又は作業上の理由により、間隔があいていてもよく、同様の効果が得られる。
【００５６】
また、上記実施形態では、撚り電力電線１２として２本の電力電線Ｐ，Ｎが相互に撚り合わされて形成されるものとしたが、撚り電力電線１２を構成する電力電線数は２本に限定されない。例えば、ノイズフィルタ１０が３相３線式のパワーコンディショナー等に適用される場合には、撚り電力電線１２は３本の電力電線Ｕ，Ｏ，Ｗを相互に撚り合わせればよい。ノイズフィルタ１０の構成や設置方法等は、撚り電線を構成する電線数によらず上記実施形態と同様であるため、詳細な説明を省略する。撚り電線を構成する電力電線数が４本（４相）以上についても同様である。
【産業上の利用可能性】
【００５７】
本発明に係るノイズフィルタは、ノイズの除去能力が高く、かつ、外来ノイズ耐性が高いので電力伝送線路上に設ける用途に対して極めて有用である。例えば、パワーコンディショナー等の電力変換装置（機器）、電源装置（機器）等に用いるノイズフィルタとして極めて有用である。
【符号の説明】
【００５８】
１０  ノイズフィルタ
１１  リングコア
１２  撚り電力電線
Ｐ，Ｎ  電力電線
２０  太陽光発電ユニット
３０  パワーコンディショナー
３２  ＤＣ−ＤＣコンバータ
３３  インバータ
４０  系統
【図１】
2017126646.tif 000003
【図２】
2017126646.tif 000004
【図３】
2017126646.tif 000005
【図４Ａ】
2017126646.tif 000006
【図４Ｂ】
2017126646.tif 000007
【図５】
2017126646.tif 000008
【図６】
2017126646.tif 000009